(57)【要約】【課題】粒子群の色の階調制御性及び基板へのメモリ性の向上を両立させる。【解決手段】駆動装置２０は、基板１、２間に形成された電界に応じて基板１，２間を移動する１種類以上の粒子群が基板１、２間に封入された表示媒体１０に、同一種類の粒子群の少なくとも一部分の粒子を基板１，２のうち何れか一方の基板から剥離させるのに必要な閾値電界以上の電界を発生させる剥離電圧を印加した後、剥離電圧から剥離電圧と同極性で且つ閾値電界未満の電界を発生させる電圧まで低下させる第１の電圧低下領域と、閾値電界未満の電界を発生させる電圧から徐々に電圧を低下させる第２の電圧低下領域とを有し、第１の電圧低下領域の電圧低下速度が第２の電圧低下領域の電圧低下速度より速くなるよう、基板１、２間に印加する電圧を制御する制御部４０を備える。【選択図】図１
2013250405.tif 000002
【特許請求の範囲】
【請求項１】
一対の基板間に形成された電界に応じて前記一対の基板間を移動する１種類以上の粒子群が前記一対の基板間に封入された表示媒体に、同一種類の粒子群の少なくとも一部分の粒子を前記一対の基板のうち何れか一方の基板から剥離させるのに必要な閾値電界以上の電界を発生させる電圧である剥離電圧を印加した後、前記剥離電圧から前記剥離電圧と同極性で且つ前記閾値電界未満の電界を発生させる電圧まで低下させる第１の電圧低下領域と、前記閾値電界未満の電界を発生させる電圧から徐々に電圧を低下させる第２の電圧低下領域とを有し、前記第１の電圧低下領域の電圧低下速度が前記第２の電圧低下領域の電圧低下速度より速くなるよう、前記一対の基板間に印加する電圧を制御する電圧制御手段
を有する表示媒体の駆動装置。
【請求項２】
前記電圧制御手段は、前記第１の電圧低下領域において、電圧を離散的に低下させることを特徴とする
請求項１記載の表示媒体の駆動装置。
【請求項３】
前記電圧制御手段は、一方の基板から剥離した粒子を他方の基板に付着させるのに必要な付着電界を発生させると共に、前記剥離電圧と同極性で且つ前記閾値電界未満の電界を発生させる電圧である付着電圧を、前記剥離電圧を印加した後に印加する
請求項１又は請求項２記載の表示媒体の駆動装置。
【請求項４】
前記粒子群は群毎に帯電極性が異なり、閾値電界を有する第１の粒子群及び当該第１の粒子群の閾値電界より小さい閾値電界を有する第２の粒子群を含み、前記第１の粒子群の色を階調表示する場合、前記付着電圧は前記第１の粒子群の閾値電界未満且つ前記第２の粒子群の閾値電界よりも大きい電界を発生させる電圧である
請求項３記載の表示媒体の駆動装置。
【請求項５】
コンピュータを、請求項１〜請求項４の何れか１項に記載の表示媒体の駆動装置を構成する電圧制御手段として機能させるための表示媒体の駆動プログラム。
【請求項６】
一対の基板間に形成された電界に応じて前記基板間を移動する１種類以上の粒子群が前記基板間に封入された表示媒体と、
請求項１〜請求項４の何れか１項に記載の表示媒体の駆動装置と、
を備えた表示装置。
【発明の詳細な説明】
【技術分野】
【０００１】
本発明は、表示媒体の駆動装置、駆動プログラム、及び表示装置に関する。
【背景技術】
【０００２】
特許文献１には、少なくとも第１電極と、第２電極からなる電極群を備え、表示メモリ性を有する表示装置の駆動方法であって、第１電極と第２電極との間に表示画像の書き込みを行う電圧を印加した後、表示画像の保持期間内の一定期間に、第１電極と第２電極との間の電位差の絶対値を徐々に減衰させることを特徴とする表示装置の駆動方法が開示されている。
【先行技術文献】
【特許文献】
【０００３】
【特許文献１】特開２００４−２８７４２５号公報
【発明の概要】
【発明が解決しようとする課題】
【０００４】
本発明は、粒子群の色の階調制御性を向上することのできる表示媒体の駆動装置、駆動プログラム、及び表示装置を提供することを目的とする。
【課題を解決するための手段】
【０００５】
上記目的を達成するために、請求項１記載の表示媒体の駆動装置の発明は、一対の基板間に形成された電界に応じて前記一対の基板間を移動する１種類以上の粒子群が前記一対の基板間に封入された表示媒体に、同一種類の粒子群の少なくとも一部分の粒子を前記一対の基板のうち何れか一方の基板から剥離させるのに必要な閾値電界以上の電界を発生させる電圧である剥離電圧を印加した後、前記剥離電圧から前記剥離電圧と同極性で且つ前記閾値電界未満の電界を発生させる電圧まで低下させる第１の電圧低下領域と、前記閾値電界未満の電界を発生させる電圧から徐々に電圧を低下させる第２の電圧低下領域とを有し、前記第１の電圧低下領域の電圧低下速度が前記第２の電圧低下領域の電圧低下速度より速くなるよう、前記一対の基板間に印加する電圧を制御する電圧制御手段、を備える。
【０００６】
請求項２記載の発明は、前記電圧制御手段は、前記第１の電圧低下領域において、電圧を離散的に低下させることを特徴とする。
【０００７】
請求項３記載の発明は、前記電圧制御手段は、一方の基板から剥離した粒子を他方の基板に付着させるのに必要な付着電界を発生させると共に、前記剥離電圧と同極性で且つ前記閾値電界未満の電界を発生させる電圧である付着電圧を、前記剥離電圧を印加した後に印加する。
【０００８】
請求項４記載の発明は、前記粒子群は群毎に帯電極性が異なり、閾値電界を有する第１の粒子群及び当該第１の粒子群の閾値電界より小さい閾値電界を有する第２の粒子群を含み、前記第１の粒子群の色を階調表示する場合、前記付着電圧は前記第１の粒子群の閾値電界未満且つ前記第２の粒子群の閾値電界よりも大きい電界を発生させる電圧である。
【０００９】
請求項５記載の駆動プログラムは、コンピュータを、請求項１〜請求項４の何れか１項に記載の表示媒体の駆動装置を構成する電圧制御手段として機能させる。
【００１０】
請求項６記載の表示装置は、一対の基板間に形成された電界に応じて前記基板間を移動する１種類以上の粒子群が前記基板間に封入された表示媒体と、請求項１〜請求項４の何れか１項に記載の表示媒体の駆動装置と、を備える。
【発明の効果】
【００１１】
請求項１、５、６の発明によれば、同一種類の粒子群の少なくとも一部分の粒子を基板から剥離させるのに必要な閾値電界以上の電界を発生させる剥離電圧を印加した後に、剥離電圧から連続的に減衰する減衰電圧を印加する場合と比較して、粒子群の色の階調制御性を向上することができる、という効果を有する。
【００１２】
請求項２の発明によれば、本構成を有さない場合と比較して、より階調への影響を少なくできる、という効果を有する。
【００１３】
請求項３の発明によれば、粒子群の色の階調に応じた剥離電圧を印加した後に引き続いて減衰電圧を印加する場合と比較して、基板間を浮遊する粒子を表示基板又は背面基板に付着させることができる、という効果を有する。
【００１４】
請求項４の発明によれば、第２の粒子群の閾値電界よりも小さい電界を発生させる付着電圧を印加する場合と比較して、第２の粒子群をいずれかの一方の基板に付着させることができる、という効果を有する。
【図面の簡単な説明】
【００１５】
【図１】実施形態に係る表示装置を示す概略図である。
【図２】第１実施形態に係る泳動粒子の電圧印加特性を示す図である。
【図３】第１実施形態に係る表示装置において電圧印加に応じた泳動粒子の挙動を示す概略図である。
【図４】本実施形態に係る剥離電圧及び減衰電圧の印加形態を示す図である。
【図５】制御部で実行される処理のフローチャートである。
【図６】第１実施形態に係る表示装置において電圧印加シーケンスを説明するための図である。
【図７】第１実施形態に係る表示装置において電圧印加シーケンスに応じた泳動粒子の挙動を示す概略図である。
【図８】制御部で実行される処理のフローチャートである。
【図９】第２実施形態に係る表示装置において電圧印加シーケンスを説明するための図である。
【図１０】第３実施形態に係る表示装置を示す概略図である。
【図１１】第３実施形態に係る泳動粒子の電圧印加特性を示す図である。
【図１２】第３実施形態に係る表示装置において電圧印加に応じた泳動粒子の挙動を示す概略図である。
【図１３】第３実施形態に係る表示装置において電圧印加に応じた泳動粒子の挙動を示す概略図である。
【図１４】第３実施形態に係る表示装置において電圧印加に応じた泳動粒子の挙動を示す概略図である。
【図１５】第３実施形態に係る表示装置において電圧印加に応じた泳動粒子の挙動を示す概略図である。
【図１６】第３実施形態に係る表示装置において電圧印加シーケンスを説明するための図である。
【図１７】第３実施形態に係る表示装置において電圧印加シーケンスに応じた泳動粒子の挙動を示す概略図である。
【図１８】第４実施形態に係る泳動粒子の電圧印加特性を示す図である。
【図１９】第４実施形態に係る表示装置において電圧印加に応じた泳動粒子の挙動を示す概略図である。
【図２０】第４実施形態に係る表示装置において電圧印加に応じた泳動粒子の挙動を示す概略図である。
【図２１】第４実施形態に係る表示装置において電圧印加に応じた泳動粒子の挙動を示す概略図である。
【図２２】第４実施形態に係る表示装置において電圧印加シーケンスを説明するための図である。
【図２３】第４実施形態に係る表示装置において電圧印加シーケンスに応じた泳動粒子の挙動を示す概略図である。
【発明を実施するための形態】
【００１６】
以下、図面を参照して、本発明を実施するための形態を詳細に説明する。作用・機能が同じ働きを担う部材には、全図面を通して同じ符合を付与し、重複する説明を省略する場合がある。また、説明を簡易化するために、適宜１つのセルに注目した図を用いて本実施形態を説明する。
【００１７】
また、シアン色の粒子をシアン粒子Ｃ、マゼンタ色の粒子をマゼンタ粒子Ｍ、黄色の粒子を黄色粒子Ｙと記し、各粒子とその粒子群は同じ記号（符号）によって示す。
【００１８】
＜第１実施形態＞
【００１９】
図１（Ａ）は、第１実施形態に係る表示装置を概略的に示している。この表示装置１００は、表示媒体１０と、表示媒体１０を駆動する駆動装置２０と、を備えている。駆動装置２０は、表示媒体１０の表示側電極３、背面側電極４間に電圧を印加する電圧印加部３０と、表示媒体１０に表示させる画像の画像情報に応じて電圧印加部３０を制御する制御部４０と、を含んで構成されている。
【００２０】
表示媒体１０は、画像表示面とされる、透光性を有する表示基板１と、非表示面とされる背面基板２と、が間隙を持って対向して配置されている。
【００２１】
これらの基板１、２間を定められた間隔に保持すると共に、該基板間を複数のセルに区画する間隙部材５が設けられている。
【００２２】
上記セルとは、背面側電極４が設けられた背面基板２と、表示側電極３が設けられた表示基板１と、間隙部材５と、によって囲まれた領域を示している。セル中には、例えば絶縁性液体で構成された分散媒６と、分散媒６中に分散された第１粒子群１１が封入されている。
【００２３】
第１粒子群１１は着色され、一対の電極３、４間に予め定めた閾値電圧以上の電圧を印加することにより、第１粒子群１１が単独で泳動する特性を有している。また、分散媒６に着色剤を混合することで、分散媒６は白色に着色されている。
【００２４】
なお、白色に着色された分散媒６ではなく、無色の分散媒６に第１粒子群１１よりも帯電量が少なく、第１粒子群１１が何れか一方の電極側まで移動する電圧が電極間に印加されても、何れの電極側まで泳動しない白色粒子群を封入して、白色を表示させてもよい。
【００２５】
駆動装置２０（電圧印加部３０及び制御部４０）は、表示媒体１０の表示側電極３、背面側電極４間に表示させる色に応じた電圧を印加することにより、第１粒子群１１を泳動させ、帯電極性に応じて表示基板１、背面基板２の何れか一方に引き付ける。
【００２６】
電圧印加部３０は、表示側電極３及び背面側電極４にそれぞれ電気的に接続されている。
【００２７】
表示側電極３及び背面側電極４は、パターン印刷された導電インキ、エッチングなどで形成された導電金属膜などのセグメント型電極、並びに半導体を電極としたＴＦＴ電極等により構成される。
【００２８】
また、電圧印加部３０は、制御部４０に信号授受されるように接続されている。
【００２９】
制御部４０は、図１（Ｂ）に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０Ａ、ＲＯＭ（Ｒｅａｄ  Ｏｎｌｙ  Ｍｅｍｏｒｙ）４０Ｂ、ＲＡＭ（Ｒａｎｄｏｍ  Ａｃｃｅｓｓ  Ｍｅｍｏｒｙ）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部３０が接続されている。この場合、後述する各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００３０】
電圧印加部３０は、表示側電極３及び背面側電極４に電圧を印加するための電圧印加装置であり、制御部４０の制御に応じた電圧を表示側電極３及び背面側電極４に印加する。
【００３１】
本実施形態では、一例として表示側電極３を接地し、背面側電極４に電圧を印加する場合について説明する。
【００３２】
図２には、本実施形態に係る表示装置１００において、第１粒子群１１として正に帯電されたシアン粒子Ｃを表示基板１側、背面基板２側に移動させるために必要な印加電圧の特性を示した。図２では、シアン粒子Ｃの印加電圧特性を特性５０Ｃで表わしている。
【００３３】
また、図２は、表示側電極３をグラウンドレベル（０Ｖ）として背面側電極４に印加された電圧と、シアン粒子群による表示濃度との関係を示したものである。
【００３４】
図２に示すように、背面基板２側のシアン粒子Ｃが表示基板１側へ移動開始する電界（閾値電界）を発生させる移動開始電圧（閾値電圧）は＋Ｖｃであり、表示基板１側のシアン粒子Ｃが背面基板２側へ移動開始する電界（閾値電界）を発生させる移動開始電圧（閾値電圧）は−Ｖｃである。従って、＋Ｖｃ以上の電圧を印加することで背面基板２側のシアン粒子Ｃが表示基板１側へ移動し、−Ｖｃ以下の電圧を印加することで表示基板１側のシアン粒子Ｃが背面基板２側へ移動する。
【００３５】
そして、背面基板２側のシアン粒子Ｃを表示基板１側へ移動させる粒子の粒子量、表示基板１側のシアン粒子Ｃを背面基板２側へ移動させる粒子の粒子量は、例えば印加する電圧の電圧値を同一にした場合には、そのパルス幅（印加時間）によって制御される（パルス幅変調）。例えば印加する電圧の電圧値を＋Ｖｃとした場合、そのパルス幅が長くなるに従って表示基板１側へ移動させるシアン粒子Ｃの粒子量が多くなる。これによりシアン粒子Ｃの階調表示が制御される。表示基板１側のシアン粒子Ｃを背面基板２側へ移動させる場合の粒子量についても同様である。
【００３６】
なお、印加する電圧のパルス幅を同一にして、電圧値を変えることで移動する粒子の粒子量を制御し、階調表示を制御するようにしてもよい（電圧変調）。例えば、背面基板２側のシアン粒子Ｃを表示基板１側へ移動させる粒子の粒子量を制御する場合、印加する電圧のパルス幅は同一で、電圧値を＋Ｖｃ以上の任意の電圧値とすることにより、その電圧値に応じた粒子量のシアン粒子Ｃを表示基板１側へ移動させられる。
【００３７】
このようにシアン粒子Ｃの少なくとも一部の粒子を、表示基板１側又は背面基板２側から剥離させるのに必要な閾値電界以上の電界を発生させる電圧を剥離電圧という。
【００３８】
以下では、一例として、シアン粒子Ｃを移動させる場合に印加する電圧の電圧値を−Ｖｃ又は＋Ｖｃとし、パルス幅を可変とすることで移動する粒子の粒子量を制御する場合について説明する。
【００３９】
次に、各色の表示について説明する。なお、表示側電極３はグラウンドレベル（０Ｖ）とする。
【００４０】
図３は、第１実施形態に係る表示媒体において電圧印加に応じたシアン粒子Ｃの挙動の一例を概略的に示している。なお、図３では、分散媒６、間隙部材５等は省略されている。
【００４１】
本実施形態では、第１粒子群１１は、シアンの色彩を有する正帯電の電気泳動粒子（シアン粒子Ｃ）である場合について説明するが、これに限定されない。粒子の色と帯電極性は適宜設定すればよい。また、以下の説明で印加する電圧の値も一例であって、これに限定されず、粒子の帯電極性、応答性、電極間の距離等に応じて適宜設定すればよい。
【００４２】
図３（Ａ）に示すように、表示基板１側の全てのシアン粒子Ｃを背面基板２側に付着させるのに必要なパルス幅で−Ｖｃの電圧を印加すると、正帯電の全てのシアン粒子Ｃは背面基板２側に泳動して背面基板２側の全面に付着した状態となる。これにより表示基板１側からは分散媒６のみが目視できるので白色が表示される。
【００４３】
図３（Ａ）の状態（白色表示）から、図３（Ｂ）に示すように、背面基板２側のシアン粒子のうち表示すべき階調に応じた粒子量のシアン粒子Ｃを、背面基板２側から剥離させ、この剥離したシアン粒子を表示基板１側に移動させるのに必要なパルス幅で＋Ｖｃの電圧を印加すると、階調に応じて剥離すべき粒子量のシアン粒子Ｃが表示基板１側に泳動して表示基板１側に付着した状態となる。
【００４４】
図３（Ｂ）では、左側、中央、右側の順に、表示基板１側へ移動するシアン粒子Ｃが多くなる場合を示している。すなわち、図３（Ｂ）の左側、中央、右側の順に、印加する電圧のパルス幅は長くなる。
【００４５】
＋Ｖｃの電圧の印加を停止した後も、ファンデルワールス力や鏡像力によって表示基板１側に付着したシアン粒子Ｃは表示基板１側から剥離することなく表示が維持される。このように、電圧を印加しなくとも、粒子が基板に付着して直前の表示を維持することをメモリ性という。
【００４６】
ところで、従来より、電極間への電圧の印加を突然停止すると、セル内に発生した残留直流電圧成分（残留ＤＣ）の影響により、分散媒６中に印加電圧とは逆極性の電界が発生し、表示基板１側に付着した階調に応じた粒子量の粒子が表示基板１側から剥離されてしまう、すなわち、メモリ性を阻害してしまう問題が知られている。
【００４７】
残留ＤＣの発生原因としては、一般的には分散媒６と、表示基板１及び背面基板２との蓄積電荷の緩和時定数の相違などが知られている。
【００４８】
例えば、上記シアン粒子Ｃの階調表示の制御で言えば、背面側電極４に剥離電圧＋Ｖｃを印加して、図３（Ｂ）のように背面基板２側から階調に応じて剥離した粒子量のシアン粒子Ｃが表示基板１側に泳動して表示基板１側に付着した状態であるとする。この状態で背面側電極４への電圧の印加を突然停止した場合、背面側電極４に剥離電圧＋Ｖｃを印加した際に発生した電界とは逆極性の電界が分散媒６に発生するため、表示基板１側に付着したシアン粒子Ｃに対して背面基板２側へ引き戻そうとする力が働く。その結果、表示基板１側に付着したシアン粒子Ｃが表示基板１側から剥離してしまい、メモリ性が阻害される。
【００４９】
従来は、この残留ＤＣの影響によるメモリ性の劣化を防止するために、図４（Ａ）に示すように、シアン粒子Ｃの閾値電圧＋Ｖｃ以上の剥離電圧＋Ｖｗを印加した後、徐々に印加電圧を減衰させることにより、残留ＤＣを低減し、剥離電圧＋Ｖｗとは逆極性の電界の発生を抑制する方法が行われていた。
【００５０】
ところが、この方法では印加電圧を徐々に減衰させるため、剥離電圧＋Ｖｗから閾値電圧＋Ｖｃに低下するまでに期間ｔ２−ｔ１（以下、余剰剥離期間という）を要する。
【００５１】
シアン粒子Ｃの階調表示をパルス幅変調により制御する場合、剥離電圧＋Ｖｗをｔ１−ｔ０の期間印加することで階調表示に必要なシアン粒子Ｃの粒子量を制御するが、剥離電圧＋Ｖｗから徐々に印加電圧を減衰させると余剰剥離期間が発生し、指定した階調（濃度）を表示するのに必要な粒子量以上にシアン粒子Ｃが背面基板２側から剥離して階調制御性が劣化する場合がある。
【００５２】
このため、本実施形態では、図４（Ｂ）に示すように、シアン粒子Ｃの閾値電圧＋Ｖｃ以上の剥離電圧＋Ｖｗを印加した後、余剰剥離期間の印加電圧によって、指定した階調（濃度）を表示するのに必要な粒子量以上にシアン粒子Ｃが背面基板２側から剥離しないよう、印加電圧を剥離電圧＋Ｖｗと同極性で且つ閾値電圧＋Ｖｃによって発生する閾値電界未満の電界を発生させる電圧まで瞬時に低下させてから（第１の電圧低下領域）、徐々に０Ｖまで減衰する電圧（減衰電圧）を印加する（第２の電圧低下領域）。
【００５３】
ここで「瞬時に」とは、時間における電圧の勾配が直線状になるように、という意味であり、この電圧の勾配で示される第１の電圧低下領域の電圧低下速度が第２の電圧低下領域の電圧低下速度よりも大きくなるよう電圧を制御する。より好ましくは、第１の電圧低下領域において、印加電圧を剥離電圧＋Ｖｗと同極性で且つ閾値電圧＋Ｖｃによって発生する閾値電界未満の電界を発生させる電圧まで離散的に（ステップ状に）低下させる。
【００５４】
なお、減衰電圧は、残留ＤＣを低減し、剥離電圧とは逆極性の電界の発生を抑制するよう印加すればいかなる減衰形態であっても良い。例えば、図４（Ｂ）のように対数関数状若しくは指数関数状に減衰させる形態の他、図４（Ｃ）に示すように、ｔａ〜ｔｂ期間は＋Ｖｔａ、ｔｂ〜ｔｃ期間は＋Ｖｔａよりも低い電圧となる＋Ｖｔｂ、ｔｃ〜ｔｄ期間は＋Ｖｔｂよりも低い電圧となる＋Ｖｔｃというように、いわゆる階段状に減衰させる形態、又は図４（Ｄ）に示すように、直線状に減衰させる形態等を用いても良い。
【００５５】
背面側電極４にＴＦＴ電極を使用する場合、通常ｎ個の横方向の走査線（アドレスラインＹ１〜Ｙｎ）とｍ個の縦方向の信号線（データラインＸ１〜Ｘｍ）でマトリクスを形成し、その交点にＴＦＴ電極が配置される構成をとる。走査線はＴＦＴ電極のゲートに接続されて、ＴＦＴ電極のオン、オフを決める電圧を印加する。信号線はＴＦＴ電極のドレイン又はソースに接続されて、色の階調（濃度）を決める電圧を印加する。
【００５６】
走査線の１つＹｉ（ｉ＝１〜ｎ）を通じてその配線上すべてのＴＦＴ電極を導通し、信号線からＴＦＴ電極に色の階調（濃度）を決める電圧を印加する。その走査をＹ１〜Ｙｎ（１フレーム）の全走査線に渡って行うことで表示媒体１０に表示させる画像を書き換える。
【００５７】
背面側電極４にＴＦＴ電極を用いた表示媒体の駆動装置２０の場合、フレーム毎に背面側電極４に色の階調（濃度）を決める電圧を印加するが、ＴＦＴ電極自体の自然放電による電圧降下により、時間の経過と共に電極間の印加電圧が低下する。従って、図４（Ｃ）は実際には図４（Ｅ）のように、印加電圧が変動する。
【００５８】
そこで、減衰電圧印加時にフレーム毎にＴＦＴ電極の自然放電による電圧降下分だけ低い電圧を電極間に印加して、図４（Ｆ）のように直線状に減衰する減衰電圧を得るようにしても良い。
【００５９】
なお、このＴＦＴ電極の自然放電による単位時間当たりの電圧降下値は、表示装置１００の実機による実験や表示装置１００の設計仕様に基づくコンピュータシミュレーション等により予め求められ、例えば、表示装置１００の制御部４０のＲＯＭ４０Ｂに予め記憶されている。
【００６０】
以下では、本実施形態に係る表示装置１００の制御部４０のＣＰＵ４０Ａが、上記プログラムを読み込んで実行することにより各種処理を実現する場合について説明する。
【００６１】
この場合、当該プログラムを表示装置１００の制御部４０のＲＯＭ４０Ｂに予めインストールしておく形態や、ＣＤ−ＲＯＭ等のコンピュータ読み取り可能な記録媒体に格納された状態で提供される形態、有線または無線による通信手段を介して配信される形態等を適用してもよい。
【００６２】
次に図５を参照して、第１実施形態に係る電圧制御手段を実行する際の表示装置１００の作用を説明する。
【００６３】
なお、図５は、この際に表示装置１００の制御部４０のＣＰＵ４０Ａにより実行される表示媒体の駆動プログラムの処理の流れを示すフローチャートであり、当該プログラムはＲＯＭ４０Ｂの予め定められた領域に予め記憶されている。
【００６４】
まず、ステップＳ２００では、表示媒体１００に表示させるべき画像の画像情報を例えばＩ／Ｏ４０Ｅを介して図示しない外部装置から取得する。
【００６５】
ステップＳ２０２では、リセット電圧を印加するように電圧印加部３０に指示する。ここでは、リセット電圧は、全てのシアン粒子Ｃを背面基板２側へ移動させるための電圧−ＶＲとする。すなわち、図６に示すように、リセット電圧−ＶＲは、シアン粒子Ｃの閾値電圧−Ｖｃ以下の電圧である。このため、図７（Ａ）に示すように、リセット電圧−ＶＲが背面側電極４に印加されると、背面基板２側へ全てのシアン粒子Ｃが移動して付着する。
【００６６】
ステップＳ２０４では、取得した画像情報に基づいて、背面側電極４に印加すべき剥離電圧を決定し、電圧印加部３０に指示する。電圧印加部３０は、制御部４０から指示された剥離電圧を背面側電極４に印加する。
【００６７】
この剥離電圧は、表示媒体１００に表示すべき色の階調に応じた粒子量の粒子を表示基板１側又は背面基板２側から剥離させるのに必要な閾値電界以上の電圧を発生させる電圧である。例えばシアンの階調表示を行う場合には、例えば図６に示すように、剥離電圧は、シアン粒子Ｃの閾値電圧である＋Ｖｃ以上の電圧＋Ｖ１であり、そのパルス幅は、表示すべきシアン色の階調（濃度）に応じたパルス幅である。なお、パルス幅は同一で、電圧値によって階調制御してもよい。
【００６８】
剥離電圧＋Ｖ１を背面側電極４に印加することにより、図７（Ｂ）、図７（Ｃ）、図７（Ｄ）の順に示すように、背面基板２側から剥離電圧に応じた粒子量のシアン粒子Ｃが表示基板１側へ移動し、表示すべき色の階調に応じたシアン粒子Ｃが表示基板１側に付着する。
【００６９】
ステップＳ２０６では、階調表示を行った粒子の閾値電圧未満の電圧から徐々に０Ｖまで減衰する減衰電圧の印加を電圧印加部３０に指示する。電圧印加部３０は、制御部４０から指示された減衰電圧を背面側電極４に印加する。
【００７０】
この減衰電圧は、剥離電圧と同極性で且つ階調表示を行う粒子の閾値電界未満の電界を発生させる電圧である。
【００７１】
例えばシアンの階調表示を行う場合には、例えば図６に示すように、減衰電圧は、シアン粒子Ｃの閾値電圧である＋Ｖｃよりも低く且つ０Ｖより高い電圧＋Ｖ２から徐々に０Ｖまで減衰する電圧である。電極間の印加電圧を剥離電圧＋Ｖｗから瞬時に閾値電圧＋Ｖｃよりも低い電圧＋Ｖ２に制御することで、余剰剥離期間が発生しないため、指定した階調（濃度）を表示するのに必要な粒子量のシアン粒子Ｃが背面基板２側から剥離して表示基板１側に移動する。
【００７２】
更に、電極間に印加する電圧を＋Ｖ２から徐々に０Ｖまで減衰する電圧となるよう制御することで、残留ＤＣの影響により分散媒６中に剥離電圧とは逆極性の電界が発生し、表示基板１側に付着した階調に応じた粒子量のシアン粒子Ｃが表示基板１側から剥離するのが抑制される。
【００７３】
＜第２実施形態＞
【００７４】
次に、本発明の第２実施形態について説明する。本実施形態に係る表示媒体１０及び駆動装置２０は第１実施形態と同一であるので説明は省略する。
【００７５】
第１実施形態で説明したように、図７（Ｂ）、図７（Ｃ）、図７（Ｄ）の順で示されるように、一方の基板から剥離した粒子を他方の基板に付着させるのにはある程度の時間を要するため、剥離電圧のパルス幅が短いと、十分に粒子が基板に付着しない場合があり、階調制御性が劣化する場合がある。
【００７６】
このため、第２実施形態では粒子群の色の階調表示を行う場合、電極間に剥離電圧を印加した後、剥離電圧と同極性で且つ上記粒子群の閾値電圧によって発生する閾値電界未満の電界を発生させる電圧（付着電圧）を、電極間に印加することで、表示基板１側及び背面基板２側の一方から剥離した粒子を他方の基板側へ付着させてから、減衰電圧を印加する。
【００７７】
図８を参照して、第２実施形態に係る付着電圧を適用した電圧制御手段を実行する際の表示装置１００の作用を説明する。
【００７８】
なお、図８は、この際に表示装置１００の制御部４０のＣＰＵ４０Ａにより実行される表示媒体の駆動プログラムの処理の流れを示すフローチャートであり、当該プログラムはＲＯＭ４０Ｂの予め定められた領域に予め記憶されている。
【００７９】
図８の処理が図５の処理と異なるのは、ステップＳ２０５の処理が追加されている点である。なお、ステップＳ２００〜Ｓ２０４、及びステップＳ２０６は、図５と同じ処理であるため説明を省略する。
【００８０】
ステップＳ２０５では、一方の基板から剥離した粒子を他方の基板へ十分に付着させるための付着電圧を背面側電極４に印加するように電圧印加部３０に指示する。電圧印加部３０は、制御部４０から指示された付着電圧を背面側電極４に印加する。
【００８１】
この付着電圧は、剥離電圧と同極性で且つ上記粒子の閾値電界未満の電界を発生させる電圧である。例えばシアンの階調表示を行う場合には、例えば図９に示すように、付着電圧は、シアン粒子Ｃの閾値電圧である＋Ｖｃよりも低い電圧＋Ｖ２であり、そのパルス幅は、背面基板２側から剥離したシアン粒子Ｃが十分に表示基板１側に付着するパルス幅である。
【００８２】
電圧＋Ｖ１を印加した後、電圧＋Ｖ２を背面側電極４に印加することにより、図７（Ｄ）に示すように、背面基板２側から剥離したシアン粒子Ｃが基板間に浮遊することなく表示基板１側へ付着する。
【００８３】
なお、階調制御する場合は、剥離する粒子の粒子量が少なくなるに従って、剥離した粒子が付着する付着時間も短くなると考えられる。
【００８４】
そこで、付着電圧のパルス幅は、階調に応じて決定するようにしてもよい。すなわち、パルス幅変調の場合は剥離電圧のパルス幅に応じて、電圧変調の場合は剥離電圧の電圧値に応じて、付着電圧のパルス幅を決定するようにし、例えば剥離する粒子の粒子量が少ない場合には、付着電圧のパルス幅を短くし、剥離する粒子の粒子量が多い場合には、付着電圧のパルス幅を長くするようにしてもよい。
【００８５】
＜第３実施形態＞
【００８６】
次に、本発明の第３実施形態について説明する。本実施形態では、２種類の電気泳動粒子を有する表示媒体について説明する。
【００８７】
本実施形態に係る表示媒体は、図１０に示すように、第１粒子群１１及び第２粒子群１２が封入されている。第２粒子群１２は第１粒子群１１とは異なる色に着色され、１対の電極３、４間に予め定められた閾値電圧以上の電圧を印加することにより、第２粒子群１２が単独で泳動する特性を有している。なお、駆動装置２０は第１実施形態と同一であるので、説明は省略する。
【００８８】
図１１は、本実施形態に係る表示装置１００において、第１粒子群１１としてのシアン粒子Ｃ、第２粒子群１２としてのマゼンタ粒子Ｍを表示基板１側、背面基板２側に移動させるために必要な印加電圧の特性を示した。シアン粒子Ｃは正に帯電しており、マゼンタ粒子Ｍは負に帯電している。図１１では、シアン粒子Ｃの印加電圧特性を特性５０Ｃ、マゼンタ粒子Ｍの印加電圧特性を特性５０Ｍで表わしている。
【００８９】
また、図１１は、表示側電極３をグラウンドレベル（０Ｖ）として背面側電極４に印加された電圧と、各粒子群による表示濃度との関係を示したものである。
【００９０】
なお、シアン粒子Ｃの印加電圧特性は第１実施形態と同一であるので説明は省略し、マゼンタ粒子Ｍの印加電圧特性５０Ｍについて説明する。
【００９１】
図１１に示すように、背面基板２側のマゼンタ粒子Ｍが表示基板１側へ移動開始する電界（閾値電界）を発生させる移動開始電圧（閾値電圧）は−Ｖｍであり、表示基板１側のマゼンタ粒子Ｍが背面基板２側へ移動開始する電界（閾値電界）を発生させる移動開始電圧（閾値電圧）は＋Ｖｍである。従って、−Ｖｍ以下の電圧を印加することで背面基板２側のマゼンタ粒子Ｍが表示基板１側へ移動し、＋Ｖｍ以上の電圧を印加することで表示基板１側のマゼンタ粒子Ｍが背面基板２側へ移動する。なお、図１１に示すように、｜Ｖｍ｜＞｜Ｖｃ｜となっている。
【００９２】
そして、背面基板２側のマゼンタ粒子Ｍを表示基板１側へ移動させる粒子の粒子量は、例えば印加する電圧の電圧値を同一にした場合には、そのパルス幅によって制御される（パルス幅変調）。例えば印加する電圧の電圧値を−Ｖｍした場合、そのパルス幅が長くなるに従って表示基板１側へ移動させるマゼンタ粒子Ｍの粒子量が多くなる。これによりマゼンタ粒子Ｍの階調表示が制御される。表示基板１側のマゼンタ粒子Ｍを背面基板２側へ移動させる場合の粒子量についても同様である。
【００９３】
なお、印加する電圧のパルス幅を同一にして、電圧値を変えることで移動する粒子の粒子量を制御し、階調表示を制御するようにしてもよい（電圧変調）。例えば、背面基板２側のマゼンタ粒子Ｍを表示基板１側へ移動させる粒子の粒子量を制御する場合、印加する電圧のパルス幅は同一で、電圧値を−Ｖｍ以下の任意の電圧値とすることにより、その電圧値に応じた粒子量のマゼンタ粒子Ｍを表示基板１側へ移動させられる。
【００９４】
以下では、一例として、マゼンタ粒子Ｍを移動させる場合に印加する電圧の電圧値を−Ｖｍ又は＋Ｖｍとし、パルス幅を可変とすることで移動する粒子の粒子量を制御する場合について説明する。
【００９５】
次に、各色の表示について説明する。なお、表示側電極３はグラウンドレベル（０Ｖ）とする。また、マゼンタ粒子Ｍ及びシアン粒子Ｃは同量ずつ基板間に封入されているものとする。
【００９６】
図１２〜１５は、第３実施形態に係る表示媒体において電圧印加に応じたマゼンタ粒子Ｍ、シアン粒子Ｃの挙動の一例を概略的に示している。なお、図１２〜図１５では、分散媒６、間隙部材５等は省略されている。
【００９７】
本実施形態では、第１粒子群１１は、マゼンタの色彩を有する負帯電の電気泳動粒子（マゼンタ粒子Ｍ）であり、第２粒子群１２は、シアンの色彩を有する正帯電の電気泳動粒子（シアン粒子Ｃ）である場合について説明するが、これに限定されない。各粒子の色と帯電極性は適宜設定すればよい。また、以下の説明で印加する電圧の値も一例であって、これに限定されず、各粒子の帯電極性、応答性、電極間の距離等に応じて適宜設定すればよい。
【００９８】
図１２（Ａ）に示すように、背面側電極４に−Ｖｍの電圧を、背面基板２側の全てのマゼンタ粒子Ｍを表示基板１側に付着させるのに必要なパルス幅で印加すると、負帯電の全てのマゼンタ粒子Ｍは表示基板１側に、正帯電のシアン粒子Ｃは背面基板２側に泳動して各基板の全面に付着した状態となる。これによりマゼンタ色が表示される。
【００９９】
図１２（Ａ）の状態（マゼンタ表示）から、図１２（Ｂ）に示すように、背面側電極４に＋Ｖｍの電圧を、表示基板１側の全てのマゼンタ粒子Ｍを背面基板２側に付着させると共に、背面基板２側の全てのシアン粒子Ｃを表示基板１側に付着させるのに必要なパルス幅で印加すると、正帯電のシアン粒子Ｃは表示基板１側に、負帯電のマゼンタ粒子Ｍは背面基板２側に泳動して各基板の全面に付着した状態となる。これによりシアン色が表示される。
【０１００】
図１２（Ｂ）の状態（シアン表示）から、図１２（Ｃ）に示すように、背面側電極４に−Ｖｃの電圧を、表示基板１側のシアン粒子Ｃのうち表示すべき階調に応じた粒子量のシアン粒子Ｃを表示基板１側に残し、他のシアン粒子Ｃ（表示基板１から剥離させるべきシアン粒子Ｃ）を背面基板２側に移動させるのに必要なパルス幅で印加すると、階調に応じて剥離すべき粒子量のシアン粒子Ｃが背面基板２側に泳動して背面基板２側に付着した状態となる。図１２（Ｃ）では、左側、中央、右側の順に、背面基板２側へ移動するシアン粒子Ｃが少なくなる場合を示している。すなわち、図１２（Ｃ）の左側、中央、右側の順に、印加する電圧のパルス幅は短くなる。
【０１０１】
図１３（Ａ）（図１２（Ａ）と同一）の状態（マゼンタ表示）から、図１３（Ｂ）のに示すように、背面側電極４に＋Ｖｍの電圧を、表示基板１側のマゼンタ粒子Ｍのうち表示すべき階調に応じた粒子量のマゼンタ粒子Ｍを表示基板１側に残し、他のマゼンタ粒子Ｍ（表示基板１側から剥離させるべきマゼンタ粒子Ｍ）を背面基板２側に移動させるのに必要なパルス幅で印加すると、階調に応じて剥離すべき粒子量のマゼンタ粒子Ｍが背面基板２側に泳動して背面基板２側に付着すると共に、シアン粒子Ｃが表示基板１側に泳動して表示基板１側に付着した状態となる。
【０１０２】
そして、図１３（Ｂ）の状態から、図１３（Ｃ）に示すように、背面側電極４に−Ｖｃの電圧を、表示基板１側のシアン粒子Ｃのうち表示すべき階調に応じた粒子量のシアン粒子Ｃを表示基板１側に残し、他のシアン粒子Ｃ（表示基板１から剥離させるべきシアン粒子Ｃ）を背面基板２側に付着させるのに必要なパルス幅で印加すると、階調に応じて剥離すべき粒子量のシアン粒子Ｃが背面基板２側に泳動して背面基板２側に付着した状態となる。
【０１０３】
図１３（Ｃ）では、図１２（Ｃ）と同様に、左側、中央、右側の順に、背面基板２側へ移動するシアン粒子Ｃが少なくなる場合を示している。すなわち、図１３（Ｃ）の左側、中央、右側の順に、印加する電圧のパルス幅は短くなる。
【０１０４】
また、図１４、１５も図１３と同様であり、図１４（Ａ）から同図（Ｂ）の状態、図１５（Ａ）から同図（Ｂ）に移行する際の、背面基板２側へ移動するマゼンタ粒子Ｍの粒子量が異なるだけである。
【０１０５】
次に第２実施形態の説明で使用した図８を参照して、第３実施形態に係る電圧制御手段を実行する際の表示装置１００の作用を説明する。
【０１０６】
ステップＳ２００は第２実施形態と同じであるため説明を省略する。
【０１０７】
マゼンタの階調を制御する場合には、ステップＳ２０２で、リセット電圧を印加するように電圧印加部３０に指示する。ここでは、リセット電圧は、全てのシアン粒子Ｃを表示基板１側へ移動させ、全てのマゼンタ粒子Ｍを背面基板２側へ移動させるための電圧＋ＶＲとする。すなわち、図１６に示すように、リセット電圧＋ＶＲは、マゼンタ粒子Ｍの閾値電圧＋Ｖｍよりも高い電圧である。このため、図１７（Ａ）に示すように、リセット電圧＋ＶＲが背面側電極４に印加されると、表示基板１側へ全てのシアン粒子Ｃが移動して付着し、背面基板２側へ全てのマゼンタ粒子Ｍが移動して付着する。
【０１０８】
ステップＳ２０４では、取得した画像情報に基づいて、背面側電極４に印加すべき剥離電圧を決定し、電圧印加部３０に指示する。電圧印加部３０は、制御部４０から指示された剥離電圧を背面側電極４に印加する。
【０１０９】
この剥離電圧は、表示媒体１００に表示すべき色の階調に応じた粒子量の粒子を表示基板１側又は背面基板２側から剥離させるのに必要な閾値電界以上の電圧を発生させる電圧である。例えばマゼンタの階調表示を行う場合には、例えば図１６に示すように、剥離電圧は、マゼンタ粒子Ｍの閾値電圧である−Ｖｍよりも低い電圧−Ｖ１ｍであり、そのパルス幅は、表示すべきマゼンタ色の階調（濃度）に応じたパルス幅である。なお、パルス幅は同一で、電圧値によって階調制御してもよい。
【０１１０】
電圧−Ｖ１ｍを背面側電極４に印加することにより、図１７（Ｂ）に示すように、背面基板２側から印加電圧に応じた粒子量のマゼンタ粒子Ｍが表示基板１側へ移動すると共に、表示基板１側から全てのシアン粒子Ｃが背面基板２側へ移動する。
【０１１１】
ステップＳ２０５では、一方の基板から剥離した粒子を他方の基板へ十分に付着させるための付着電圧を背面側電極４に印加するように電圧印加部３０に指示する。電圧印加部３０は、制御部４０から指示された付着電圧を背面側電極４に印加する。
【０１１２】
この付着電圧は、剥離電圧と同極性で且つ上記粒子の閾値電圧未満の電界を発生させる電圧である。例えばマゼンタの階調表示を行う場合には、例えば図１６に示すように、付着電圧は、マゼンタ粒子Ｍの閾値電圧である−Ｖｍよりも高い電圧−Ｖ２ｍであり、そのパルス幅は、背面基板２側から剥離したマゼンタ粒子Ｍが十分に表示基板１側に付着するパルス幅である。なお、この場合、シアン粒子Ｃをこのステップでいずれか一方の基板（背面基板２）に付着させるため、付着電圧は図１６に示すように、シアン粒子Ｃの閾値電圧−Ｖｃによって発生する閾値電界よりも大きい電界を発生させる電圧−Ｖ２ｍとすることが好ましい。
【０１１３】
剥離電圧−Ｖ１ｍを印加した後、付着電圧−Ｖ２ｍを背面側電極４に印加することにより、図１７（Ｂ）に示すように、背面基板２側から剥離したマゼンタ粒子Ｍが基板間に浮遊することなく図１７（Ｃ）に示すように表示基板１側へ付着する。
【０１１４】
ステップＳ２０６では、階調表示を行った粒子の閾値電圧未満の電圧から徐々に０Ｖまで減衰する減衰電圧の印加を電圧印加部３０に指示する。電圧印加部３０は、制御部４０から指示された減衰電圧を背面側電極４に印加する。
【０１１５】
この減衰電圧は、剥離電圧と同極性で且つ階調表示を行う粒子の閾値電界未満の電界を発生させる電圧である。
【０１１６】
例えばマゼンタの階調表示を行う場合には、例えば図１６に示すように、減衰電圧は、マゼンタ粒子Ｍの閾値電圧である−Ｖｍよりも高い付着電圧−Ｖ２ｍから徐々に０Ｖまで減衰する電圧である。電極間の印加電圧を剥離電圧−Ｖ１ｍから瞬時に閾値電圧−Ｖｍよりも高い電圧−Ｖ２ｍに制御することで、余剰剥離期間が発生しないため、指定した階調（濃度）を表示するのに必要な粒子量のマゼンタ粒子Ｍが背面基板２側から剥離して表示基板１側に移動する。
【０１１７】
更に、電極間に印加する電圧を付着電圧−Ｖ２ｍから徐々に０Ｖまで減衰する電圧となるよう制御することで、残留ＤＣの影響により分散媒６中に剥離電圧とは逆極性の電界が発生し、表示基板１側に付着した階調に応じたマゼンタ粒子Ｍが表示基板１側から剥離するのが抑制される。
【０１１８】
なお、この状態からシアン粒子Ｃの階調制御を行う場合、図１６に示すように、剥離電圧として、シアン粒子Ｃの閾値電圧＋Ｖｃよりも高く、マゼンタ粒子Ｍの閾値電圧＋Ｖｍよりも低い電圧＋Ｖ１ｃを階調に応じたパルス幅で背面側電極４に印加する。その後、付着電圧として、閾値電圧＋Ｖｃよりも低い電圧＋Ｖ２ｃを背面側電極４に印加する。これにより、図１７（Ｄ）、（Ｅ）に示すように、背面基板２側から印加電圧に応じた粒子量のシアン粒子Ｃが表示基板１側へ移動して付着する。
【０１１９】
更に、電極間に印加する電圧を付着電圧＋Ｖ２ｃから徐々に減衰する電圧となるよう制御することで、残留ＤＣの影響により分散媒６中に剥離電圧とは逆極性の電界が発生し、表示基板１側に付着した階調に応じた粒子量のシアン粒子Ｃが表示基板１側から剥離するのが抑制される。
【０１２０】
本実施形態では、剥離電圧の印加の後に、一方の基板から剥離した粒子を他方の基板へ十分に付着させるための付着電圧を印加してから減衰電圧を印加しているが、これに限らず、剥離電圧の印加の後に付着電圧を印加することなく、減衰電圧を印加してもよい。
【０１２１】
＜第４実施形態＞
【０１２２】
次に、本発明の第４実施形態について説明する。本実施形態では、３種類の電気泳動粒子を有する表示媒体について説明する。
【０１２３】
本実施形態に係る表示媒体は、第３実施形態において説明した図１０の分散媒６中に、更に電気泳動粒子として、シアン粒子Ｃ及びマゼンタ粒子Ｍよりも大径であり、負帯電の黄色粒子Ｙが分散された構成である。なお、駆動装置２０は第１実施形態と同一であるので、説明は省略する。
【０１２４】
図１８には、本実施形態に係る表示装置１００において、シアン粒子Ｃ、マゼンタ粒子Ｍ、黄色粒子Ｙを表示基板１側、背面基板２側に移動させるために必要な印加電圧の特性を示した。図１８では、シアン粒子Ｃの印加電圧特性を特性５０Ｃ、マゼンタ粒子Ｍの印加電圧特性を特性５０Ｍ、黄色粒子Ｙの印加電圧特性を特性５０Ｙで表わしている。
【０１２５】
また、図１８は、表示側電極３をグラウンドレベル（０Ｖ）として背面側電極４に印加された電圧と、各粒子群による表示濃度との関係を示したものである。
【０１２６】
なお、シアン粒子Ｃとマゼンタ粒子Ｍの印加電圧特性は第３実施形態と同一であるので説明は省略し、黄色粒子Ｙの印加電圧特性５０Ｙについて説明する。
【０１２７】
図１８に示すように、背面基板２側の黄色粒子Ｙが表示基板１側へ移動開始する電界（閾値電界）を発生させる移動開始電圧（閾値電圧）は−Ｖｙであり、表示基板１側の黄色粒子Ｙが背面基板２側へ移動開始する電界（閾値電界）を発生させる移動開始電圧（閾値電圧）は＋Ｖｙである。従って、−Ｖｙ以下の電圧を印加することで背面基板２側の黄色粒子Ｙが表示基板１側へ移動し、＋Ｖｙ以上の電圧を印加することで表示基板１側の黄色粒子Ｙが背面基板２側へ移動する。なお、図１８に示すように、｜Ｖｍ｜＞｜Ｖｃ｜＞｜Ｖｙ｜となっている。
【０１２８】
そして、背面基板２側の黄色粒子Ｙを表示基板１側へ移動させる粒子の粒子量は、例えば印加する電圧の電圧値を同一にした場合には、そのパルス幅によって制御される（パルス幅変調）。例えば印加する電圧の電圧値を−Ｖｙにした場合、そのパルス幅が長くなるに従って表示基板１側へ移動させる黄色粒子Ｙの粒子量が多くなる。これにより黄色粒子Ｙの階調表示が制御される。表示基板１側の黄色粒子Ｙを背面基板２側へ移動させる場合の粒子量についても同様である。
【０１２９】
なお、印加する電圧のパルス幅を同一にして、電圧値を変えることで移動する粒子の粒子量を制御し、階調表示を制御するようにしてもよい（電圧変調）。例えば、背面基板２側の黄色粒子Ｙを表示基板１側へ移動させる粒子の粒子量を制御する場合、印加する電圧のパルス幅は同一で、電圧値を−Ｖｙ以下の任意の電圧値とすることにより、その電圧値に応じた粒子量の黄色粒子Ｙを表示基板１側へ移動させられる。
【０１３０】
以下では、一例として、黄色粒子Ｙを移動させる場合に印加する電圧の電圧値を−Ｖｙ又は＋Ｖｙとし、パルス幅を可変とすることで移動する粒子の粒子量を制御する場合について説明する。
【０１３１】
次に、各色の表示について説明する。なお、表示側電極３はグラウンドレベル（０Ｖ）とする。
【０１３２】
図１９〜２１は、第４実施形態に係る表示媒体において電圧印加に応じたマゼンタ粒子Ｍ、シアン粒子Ｃ、黄色粒子Ｙの挙動の一例を概略的に示している。なお、図１９〜図２１では、分散媒６、間隙部材５等は省略されている。
【０１３３】
本実施形態では、表示媒体が負帯電のマゼンタ粒子Ｍ、正帯電のシアン粒子Ｃ、負帯電の黄色粒子Ｙを含む構成の場合について説明するが、これに限定されない。各粒子の色と帯電極性は適宜設定すればよい。また、以下の説明で印加する電圧の値も一例であって、これに限定されず、各粒子の帯電極性、応答性、電極間の距離等に応じて適宜設定すればよい。
【０１３４】
図１９（Ａ）に示すように、背面側電極４に−Ｖｍの電圧を、背面基板２側の全てのマゼンタ粒子Ｍを表示基板１側に付着させるのに必要なパルス幅で印加すると、負帯電の全てのマゼンタ粒子Ｍ及び全ての黄色粒子Ｙは表示基板１側に、正帯電のシアン粒子Ｃは背面基板２側に泳動して各基板の全面に付着した状態となる。これによりマゼンタ色及び黄色粒子Ｙの混合色が表示される。
【０１３５】
図１９（Ａ）の状態から、図１９（Ｂ）に示すように、背面側電極４に＋Ｖｍの電圧を、表示基板１側の全てのマゼンタ粒子Ｍ及び黄色粒子Ｙを背面基板２側に付着させると共に、背面基板２側の全てのシアン粒子Ｃを表示基板１側に付着させるのに必要なパルス幅で印加すると、正帯電のシアン粒子Ｃは表示基板１側に、負帯電のマゼンタ粒子Ｍ及び黄色粒子Ｙは背面基板２側に泳動して各基板の全面に付着した状態となる。これによりシアン色が表示される。
【０１３６】
図１９（Ｂ）の状態から、図１９（Ｃ）に示すように、背面側電極４に−Ｖｃの電圧を、表示基板１側のシアン粒子Ｃのうち表示すべき階調に応じた粒子量のシアン粒子Ｃを表示基板１側に残し、他のシアン粒子Ｃ（表示基板１から剥離させるべきシアン粒子Ｃ）を背面基板２側に移動させるのに必要なパルス幅で印加すると、階調に応じて剥離すべき粒子量のシアン粒子Ｃが背面基板２側に泳動して背面基板２側に付着した状態となる。また、負帯電の全ての黄色粒子Ｙは、表示基板１側に泳動して表示基板１側の全面に付着した状態となる。図１９（Ｃ）では、左側、中央、右側の順に、背面基板２側へ移動するシアン粒子Ｃが少なくなる場合を示している。すなわち、図１９（Ｃ）の左側、中央、右側の順に、印加する電圧のパルス幅は短くなる。
【０１３７】
図１９（Ｃ）の状態から、図１９（Ｄ）に示すように、背面側電極４に＋Ｖｙの電圧を、表示基板１側の黄色粒子Ｙのうち表示すべき階調に応じた粒子量の黄色粒子Ｙを表示基板１側に残し、他の黄色粒子Ｙ（表示基板１から剥離させるべき黄色粒子Ｙ）を背面基板２側に移動させるのに必要なパルス幅で印加すると、階調に応じて剥離すべき粒子量の黄色粒子Ｙが背面基板２側に泳動して背面基板２側に付着した状態となる。
【０１３８】
図２０（Ａ）（図１９（Ａ）と同一）の状態から、図２０（Ｂ）に示すように、背面側電極４に＋Ｖｍの電圧を、表示基板１側のマゼンタ粒子Ｍのうち表示すべき階調に応じた粒子量のマゼンタ粒子Ｍを表示基板１側に残し、他のマゼンタ粒子Ｍ（表示基板１から剥離させるべきマゼンタ粒子Ｍ）を背面基板２側に移動させるのに必要なパルス幅で印加すると、階調に応じて剥離すべき粒子量のマゼンタ粒子Ｍ及び全ての黄色粒子Ｙが背面基板２側に泳動して背面基板２側に付着すると共に、シアン粒子Ｃが表示基板１側に泳動して表示基板１に付着した状態となる。
【０１３９】
そして、図２０（Ｂ）の状態から、図２０（Ｃ）に示すように、背面側電極４に−Ｖｃの電圧を、表示基板１側のシアン粒子Ｃのうち表示すべき階調に応じた粒子量のシアン粒子Ｃを表示基板１側に残し、他のシアン粒子Ｃ（表示基板１から剥離させるべきシアン粒子Ｃ）を背面基板２側に付着させるのに必要なパルス幅で印加すると、階調に応じて剥離すべき粒子量のシアン粒子Ｃが背面基板２側に泳動して背面基板２側に付着した状態となる。また、負帯電の全ての黄色粒子Ｙは、表示基板１側に泳動して表示基板１側の全面に付着した状態となる。
【０１４０】
図２０（Ｃ）では、図１９（Ｃ）と同様に、左側、中央、右側の順に、背面基板２側へ移動するシアン粒子Ｃが少なくなる場合を示している。すなわち、図２０（Ｃ）の左側、中央、右側の順に、印加する電圧のパルス幅は短くなる。
【０１４１】
図２０（Ｃ）の状態から、図２０（Ｄ）に示すように、背面側電極４に＋Ｖｙの電圧を、表示基板１側の黄色粒子Ｙのうち表示すべき階調に応じた粒子量の黄色粒子Ｙを表示基板１側に残し、他の黄色粒子Ｙ（表示基板１から剥離させるべき黄色粒子Ｙ）を背面基板２側に移動させるのに必要なパルス幅で印加すると、階調に応じて剥離すべき粒子量の黄色粒子Ｙが背面基板２側に泳動して背面基板２側に付着した状態となる。
【０１４２】
また、図２１も図２０と同様であり、図２１（Ａ）から同図（Ｂ）の状態に移行する際の、背面基板２側へ移動するマゼンタ粒子Ｍの粒子量が異なるだけである。
【０１４３】
次に第２実施形態の説明で使用した図８を参照して、第４実施形態に係る電圧制御手段を実行する際の表示装置１００の作用を説明する。
【０１４４】
ステップＳ２００は第２実施形態と同じであるため説明を省略する。
【０１４５】
ステップＳ２０２では、リセット電圧を印加するように電圧印加部３０に指示する。ここでは、リセット電圧は、全てのシアン粒子Ｃを表示基板１側へ移動させ、全てのマゼンタ粒子Ｍ及び黄色粒子Ｙを背面基板２側へ移動させるための電圧＋ＶＲとする。すなわち、図２２に示すように、リセット電圧＋ＶＲは、マゼンタ粒子Ｍの閾値電圧＋Ｖｍよりも高い電圧である。このため、図２３（Ａ）に示すように、リセット電圧＋ＶＲが背面側電極４に印加されると、表示基板１側へ全てのシアン粒子Ｃが移動して付着し、背面基板２側へ全てのマゼンタ粒子Ｍ及び黄色粒子Ｙが移動して付着する。
【０１４６】
なお、図２２におけるマゼンタの階調制御の際の印加電圧とその際のマゼンタ粒子Ｍの動きを示した図２３（Ｂ）、同図（Ｃ）、及びシアンの階調制御の際の印加電圧とその際のシアン粒子Ｃの動きを示した図２３（Ｄ）、同図（Ｅ）については、既に第３実施形態において説明を行ったため、ここでは黄色の階調を制御する場合の説明を行う。
【０１４７】
ステップＳ２０４では、取得した画像情報に基づいて、背面側電極４に印加すべき剥離電圧を決定し、電圧印加部３０に指示する。電圧印加部３０は、制御部４０から指示された剥離電圧を背面側電極４に印加する。
【０１４８】
この剥離電圧は、表示媒体１００に表示すべき色の階調に応じた粒子量の粒子を表示基板１側又は背面基板２側から剥離させるのに必要な閾値電界以上の電圧を発生させる電圧である。例えば黄色の階調表示を行う場合には、例えば図２２に示すように、剥離電圧は、黄色粒子Ｙの閾値電圧である−Ｖｙ以下の電圧−Ｖ１ｙであり、そのパルス幅は、表示すべき黄色の階調（濃度）に応じたパルス幅である。なお、パルス幅は同一で、電圧値によって階調制御してもよい。
【０１４９】
電圧−Ｖ１ｙを背面側電極４に印加することにより、図２３（Ｆ）のように背面基板２側から印加電圧に応じた粒子量の黄色粒子Ｙが表示基板１側へ移動する。
【０１５０】
ステップＳ２０５では、一方の基板から剥離した粒子を他方の基板へ十分に付着させるための付着電圧を背面側電極４に印加するように電圧印加部３０に指示する。電圧印加部３０は、制御部４０から指示された付着電圧を背面側電極４に印加する。
【０１５１】
この付着電圧は、剥離電圧と同極性で且つ上記粒子の閾値電界未満の電界を発生させる電圧である。例えば黄色の階調表示を行う場合には、例えば図２２に示すように、付着電圧は、黄色粒子Ｙの閾値電圧である−Ｖｙよりも高い電圧−Ｖ２ｙであり、そのパルス幅は、背面基板２側から剥離した黄色粒子Ｙが十分に表示基板１側に付着するパルス幅である。
【０１５２】
剥離電圧−Ｖ１ｙを印加した後、付着電圧−Ｖ２ｙを背面側電極４に印加することにより、図２３（Ｇ）のように背面基板２側から剥離した黄色粒子Ｙが基板間に浮遊することなく表示基板１側へ付着する。
【０１５３】
ステップＳ２０６では、階調表示を行った粒子の閾値電圧未満の電圧から徐々に０Ｖまで減衰する減衰電圧の印加を電圧印加部３０に指示する。電圧印加部３０は、制御部４０から指示された減衰電圧を背面側電極４に印加する。
【０１５４】
この減衰電圧は、剥離電圧と同極性で且つ階調表示を行う粒子の閾値電界未満の電界を発生させる電圧である。
【０１５５】
例えば黄色の階調表示を行う場合には、例えば図２２に示すように、減衰電圧は、黄色粒子Ｙの閾値電圧である−Ｖｙよりも高い付着電圧−Ｖ２ｙから徐々に０Ｖまで減衰する電圧である。電極間の印加電圧を剥離電圧−Ｖ１ｙから瞬時に閾値電圧−Ｖｙよりも高い電圧−Ｖ２ｙに制御することで、余剰剥離期間が発生しないため、指定した階調（濃度）を表示するのに必要な粒子量の黄色粒子Ｙが背面基板２側から剥離して表示基板１側に移動する。
【０１５６】
更に、電極間に印加する電圧を付着電圧−Ｖ２ｙから徐々に０Ｖまで減衰する電圧となるよう制御することで、残留ＤＣの影響により分散媒６中に剥離電圧とは逆極性の電界が発生し、表示基板１側に付着した階調に応じた粒子量の黄色粒子Ｙが、表示基板１側から剥離するのが抑制される。
【０１５７】
なお、本実施形態では、剥離電圧の印加の後に、一方の基板から剥離した粒子を他方の基板へ十分に付着させるための付着電圧を印加してから減衰電圧を印加しているが、これに限らず、剥離電圧の印加の後に付着電圧を印加することなく、減衰電圧を印加してもよい。
【０１５８】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１５９】
また、上記の実施の形態は、クレーム（請求項）にかかる発明を限定するものではなく、また実施の形態の中で説明されている特徴の組合せの全てが発明の解決手段に必須であるとは限らない。前述した実施の形態には種々の段階の発明が含まれており、開示される複数の構成要件における適宜の組み合せにより種々の発明が抽出される。実施の形態に示される全構成要件から幾つかの構成要件が削除されても、効果が得られる限りにおいて、この幾つかの構成要件が削除された構成が発明として抽出され得る。
【０１６０】
例えば、上記実施の形態では、表示装置１０の駆動処理をソフトウエア構成によって実現した場合について説明したが、本発明はこれに限定されるものではなく、例えば当該駆動処理をハードウェア構成により実現する形態としてもよい。
【０１６１】
この場合の形態例としては、例えば、制御部４０と同一の処理を実行する機能デバイスを作成して用いる形態がある。この場合は、上記実施の形態に比較して、駆動処理の高速化が期待される。
【０１６２】
また、上記実施の形態では、白色の分散媒６を用いた場合について説明したが、本発明はこれに限定されるものではなく、例えば黒色の分散媒を用いてもよい。
【０１６３】
その他、上記実施の形態で説明した表示装置１００の構成（図１、図１０参照）は一例であり、本発明の主旨を逸脱しない範囲内において不要な部分を削除したり、新たな部分を追加してもよいことは言うまでもない。
【符号の説明】
【０１６４】
１      表示基板
２      背面基板
３      表示側電極
４      背面側電極
５      間隙部材
６      分散媒
１０    表示媒体
１１    第１粒子群
１２    第２粒子群
２０    駆動装置
３０    電圧印加部
４０    制御部
１００  表示装置
Ｃ      シアン粒子（群）
Ｍ      マゼンタ粒子（群）
Ｙ      黄色粒子（群）
【図１】
2013250405.tif 000003
【図２】
2013250405.tif 000004
【図３】
2013250405.tif 000005
【図４】
2013250405.tif 000006
【図５】
2013250405.tif 000007
【図６】
2013250405.tif 000008
【図７】
2013250405.tif 000009
【図８】
2013250405.tif 000010
【図９】
2013250405.tif 000011
【図１０】
2013250405.tif 000012
【図１１】
2013250405.tif 000013
【図１２】
2013250405.tif 000014
【図１３】
2013250405.tif 000015
【図１４】
2013250405.tif 000016
【図１５】
2013250405.tif 000017
【図１６】
2013250405.tif 000018
【図１７】
2013250405.tif 000019
【図１８】
2013250405.tif 000020
【図１９】
2013250405.tif 000021
【図２０】
2013250405.tif 000022
【図２１】
2013250405.tif 000023
【図２２】
2013250405.tif 000024
【図２３】
2013250405.tif 000025